(57)【特許請求の範囲】
【請求項１】
上方に開口する箱状をなすとともに、発泡樹脂により構成され、植物を植栽可能な内容器と、
上方に開口する箱状をなし、前記内容器を収容可能な外容器とを備え、
前記外容器同士を同じ向きで上下に真っ直ぐに積み重ね可能、及び、前記外容器同士を同じ向きで水平方向に位置をずらして上下に積み重ね可能、並びに、前記外容器同士を９０度ずつ水平に回転させた向きで上下に積み重ね可能に構成されたプランターであって、
前記外容器同士が同じ向きで水平方向に位置をずらして上下に積み重ねられた状態、又は、前記外容器同士が９０度ずつ水平に回転した向きで上下に積み重ねられた状態において、
下側に位置する前記外容器の内側に形成される収容スペースのうち、当該外容器の上側に直接重ねられている前記外容器と上下に重なっている被覆部位には位置させることなく、上方に露出している露出部位に収まるように、前記内容器が前記外容器に対して圧入可能に構成されており、
前記外容器は、貯水可能な貯水部を備え、
前記貯水部の水を、毛細管現象により、前記内容器に植栽された植物に供給する給水手段が設けられ、
前記内容器は、底壁部と、該底壁部の側辺部からそれぞれ上方に延出する側壁部とを備えるとともに、
前記内容器の底壁部は、前記外容器の底壁部と当接して支持される支持部と、前記外容器の底壁部との間に空間が形成される一般部とを備え、
前記一般部と前記外容器の底壁部との間に形成される空間において、前記貯水部が形成されるとともに、前記給水手段が設置されていることを特徴とするプランター。
【請求項２】
前記内容器のうち、前記一般部において、前記底壁部を上下に貫通する貫通孔が形成されており、
前記給水手段は、前記貫通孔に挿通されていることを特徴とする請求項１に記載のプランター。
【請求項３】
前記内容器の前記側壁部の外面において上下に延びる凹部が形成されていることを特徴とする請求項１又は２に記載のプランター。
【発明の詳細な説明】
【技術分野】
【０００１】
本発明は、植物の栽培や展示に使用されるプランターに関するものである。
【背景技術】
【０００２】
一般に、草花や野菜等の栽培や展示に使用されるプランターは、上方に開口する箱型をなし、その内側に培養土等が入れられて、草花等が植えられるようになっている。また、草花等が植えられた状態にあるプランター同士を上下に積み重ねる（段積みする）ことができるように構成されたものもある（例えば、特許文献１等参照。）。
【先行技術文献】
【特許文献】
【０００３】
【特許文献１】特開２００１−２１１７５２号公報
【発明の概要】
【発明が解決しようとする課題】
【０００４】
ところで、ガーデニング等では、複数のプランターを並べて、草花等の組合わせを楽しむこと等が行われている。そこで、上記特許文献１に記載のプランターを使用する場合には、水平方向における位置や向きをずらすようにしてプランターを段積みし、草花等を階段状に配置することも考えられる。
【０００５】
しかしながら、下側のプランターのうち、上側のプランターと上下に重なる部分については、日光が届き難く、また、水やり等の世話もし難い。さらには、上側のプランターにより草花等の成長の余地もない上、草花等が植えられていたとしても観賞することができない。従って、当該部分に草花等を植えたとしても育ち難い、或いは、育たない等といった事態を招くことが懸念され、事実上のデッドスペースとなってしまうおそれがある。
【０００６】
本発明は、上記例示した問題点等を解決するためになされたものであって、その目的は、位置や向きをずらして階段状に段積みする場合の利便性の向上を図ることができるプランターを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．上方に開口する箱状をなすとともに、発泡樹脂により構成され、植物を植栽可能な内容器と、
上方に開口する箱状をなし、前記内容器を収容可能な外容器とを備え、
前記外容器同士を同じ向きで上下に真っ直ぐに積み重ね可能、及び、前記外容器同士を同じ向きで水平方向に位置をずらして上下に積み重ね可能、並びに、前記外容器同士を９０度ずつ水平に回転させた向きで上下に積み重ね可能に構成されたプランターであって、
前記外容器同士が同じ向きで水平方向に位置をずらして上下に積み重ねられた状態、又は、前記外容器同士が９０度ずつ水平に回転した向きで上下に積み重ねられた状態において、
下側に位置する前記外容器の内側に形成される収容スペースのうち、当該外容器の上側に直接重ねられている前記外容器と上下に重なっている被覆部位には位置させることなく、上方に露出している露出部位に（丁度）収まるように、前記内容器が前記外容器に対して圧入可能に構成されており、
前記外容器は、貯水可能な貯水部を備え、
前記貯水部の水を、毛細管現象により、前記内容器に植栽された植物に供給する給水手段が設けられ、
前記内容器は、底壁部と、該底壁部の側辺部からそれぞれ上方に延出する側壁部とを備えるとともに、
前記内容器の底壁部は、前記外容器の底壁部と当接して支持される支持部と、前記外容器の底壁部との間に空間が形成される一般部とを備え、
前記一般部と前記外容器の底壁部との間に形成される空間において、前記貯水部が形成されるとともに、前記給水手段が設置されていることを特徴とするプランター。
【０００９】
手段１によれば、外容器同士を同じ向きで水平方向に位置をずらして上下に積み重ねたり、或いは、外容器同士を９０度ずつ水平に回転させた向きで上下に積み重ねたりした場合に、外容器の収容スペースのうち上側に外容器が重ねられて隠れてしまう被覆部位に対しては内容器を設置することなく、上方に開口する露出部位にのみ内容器を設置することが可能となる。また、腐葉土等を入れて草花等を植えた内容器を外容器の露出部位に収容させたとしても、当然、内容器に入れられた腐葉土等が、被覆部位に雪崩れ込む等のおそれはない。このため、被覆部位に対し、園芸用のツール（スコップ等）や、使い切れずに袋に残った腐葉土や栄養剤等を、外側からはあまり見えないように効率良く収納しておくこと等が可能となる。従って、意匠性の低下を招くことなく、被覆部位の有効活用を図ることができる。結果として、外容器の位置や向きをずらしつつ、プランターを階段状に段積みする場合の利便性の向上を図ることができる。
【００１０】
さらに、例えば、内容器が外容器の内寸とほぼ同じ大きさで構成される場合のように、被覆部位にまで必要のない内容器が配置されたり、例えば、内容器が設けられない、或いは、内容器が露出部位よりも広範囲に存在する場合のように、被覆部位にまで腐葉土等を入れたりするといった無駄をなくすことができ、コストの削減等を図ることができる。
【００１３】
また、プランターを外容器及び内容器の２層構造とし、内容器の底壁部において、支持部と一般部とを設けることによって、外容器と内容器との間に、貯水部と、給水手段を設置するスペースとを確保することができるとともに、内容器の内側空間まで水に浸かってしまうといった事態を避けることができる。
手段２．前記内容器のうち、前記一般部において、前記底壁部を上下に貫通する貫通孔が形成されており、
前記給水手段は、前記貫通孔に挿通されていることを特徴とする手段１に記載のプランター。
【００１４】
手段３．前記内容器の前記側壁部の外面において上下に延びる凹部が形成されていることを特徴とする手段１又は２に記載のプランター。
【００１５】
手段３によれば、植物支持用の棒を、凹部に挿入するようにして、内容器と外容器との間に挟んで立てることができる。特に、内容器は、発泡樹脂により構成されていることから、植物支持用の棒をよりスムースに凹部に挿入させることができるとともに、植物支持用の棒の取付状態を安定させることができる。
【００１６】
また、プランターの上方から、凹部を介して、貯水部に水を供給することができる。従って、外容器の内周面と、内容器の外周面との間のほとんど隙間が形成されないような構成であっても、凹部を介して、貯水部に対し直接的に（内容器の腐葉土等を介さずに）給水を行うことができる。
【図面の簡単な説明】
【００１７】
【図１】プランターの上面側斜視図である。
【図２】外容器の下面側斜視図である。
【図３】内容器の上面側斜視図である。
【図４】内容器の下面側斜視図である。
【図５】図１のＡ−Ａ線断面図である。
【図６】図１のＢ−Ｂ線断面図である。
【図７】プランターを階段状に段積みした状態を示す斜視図である。
【図８】図７のＣ−Ｃ線断面図である。
【発明を実施するための形態】
【００１８】
以下に、一実施形態について図面を参照して説明する。図１等に示すように、プランター１は、上方に開口する箱状をなし、草花等の植物を植栽可能な内容器２と、上方に開口する箱状をなし、内容器２を収容可能な外容器３とを備えている。本実施形態では、内容器２は、発泡ポリプロピレンにより構成され、外容器３は、非発泡のポリプロピレンにより構成されている。
【００１９】
図３、図４等に示すように、内容器２は、平面視略正方形状の底壁部１１と、底壁部１１の側辺部からそれぞれ上方に延出する側壁部１２とを備えている。また、内容器２は、底壁部１１の下面から下方に突出する支持部１３を備えている。支持部１３は、底壁部１１の４隅に設けられた隅支持部１３ａと、底壁部１１の中央部に設けられた中央支持部１３ｂと、底壁部１１の各側辺部の中央部に設けられた中間支持部１３ｃとによって構成されている。
【００２０】
さらに、底壁部１１のうち、支持部１３が設けられていない一般部１４において、底壁部１１を上下に貫通する貫通孔１５が形成されている。本実施形態では、中央支持部１３ｂを囲うようにして、８か所（中央支持部１３ｂと各中間支持部１３ｃとの間の部位、及び、中央支持部１３ｂと各隅支持部１３ａとの間の部位）に貫通孔１５が形成されている。
【００２１】
また、内容器２は、側壁部１２の上辺部を含む部位から外方に突出する庇部１６を備えている。加えて、内容器２の側壁部１２のうち、各中間支持部１３ｃと連続する部位（以下、中間対応部位１７と称する）については、側壁部１２から外方に突出して、庇部１６の外面と面一とされている。さらに、本実施形態では、側壁部１２の外面には、各中間対応部位１７の横幅方向中央部を通るようにして、内容器２の上端部から下端部にかけて上下に延びる凹部１８が形成されている。当該凹部１８は、上端部側から下端部側に向かって次第に横幅が広がるようにして形成されている。
【００２２】
図１、図２等に示すように、外容器３は、平面視略矩形状の底壁部２１と、底壁部２１の側辺部からそれぞれ上方に延出する側壁部２２とを備えている。さらに、外容器３は、側壁部２２の上辺部から外方に延出する上フランジ部２３と、側壁部２２の下辺部から外方に延出する下フランジ部２４とを備えている。
【００２３】
図７に示すように、本実施形態の外容器３には、内容器２を横並びで３つ収容可能な大容器３ａと、内容器２を横並びで２つ収容可能な中容器３ｂと、内容器２を１つだけ収容可能な小容器３ｃとが存在する。小容器３ｃは平面視正方形状をなし、中容器３ｂの長手方向における幅は小容器３ｃの幅の２倍の長さをなし、大容器３ａの長手方向における幅は小容器３ｃの幅の３倍の長さをなしている。尚、外容器３のうち大容器３ａ及び中容器３ｂに関して、底壁部２１の各長辺部からそれぞれ上方に延出する側壁部２２を「長辺側側壁部２２ａ」とも称し、底壁部２１の各短辺部からそれぞれ上方に延出する側壁部２２を「短辺側側壁部２２ｂ」とも称することとする。
【００２４】
加えて、図５、図６等に示すように、本実施形態では、内容器２を外容器３に収容した場合に、内容器２の庇部１６及び中間対応部位１７と、外容器３の内周面とが当接又は近接するように構成されている。さらに、図１に示すように、当該収容状態において、内容器２の凹部１８に対して植物支持用の棒３１を挿入することで、植物支持用の棒３１を内容器２と外容器３との間に挟んで立てることができるようになっている。
【００２５】
また、図５等に示すように、外容器３には、貯水可能な貯水部２６が設けられている。より具体的に説明すると、本実施形態の外容器３の底壁部２１、及び、側壁部２２には孔等の開口部が形成されていない。さらに、外容器３の底壁部２１の上面は平坦面となっている。これに対し、上記のように、内容器２の底壁部１１の下面側には、底壁部１１から下方に突出し、内容器２が外容器３に収容された状態では外容器３の底壁部２１の上面に当接して支持される複数の支持部１３が形成されている。当該構成により、内容器２を外容器３に収容した状態において、内容器２の底壁部１１のうち支持部１３が設けられていない部位である一般部１４と、外容器３の底壁部２１との間には空間が形成されることとなる。そして、外容器３と内容器２との間に水を注ぐことにより、かかる空間において水を貯めておくことができるようになっている。本実施形態では、かかる空間によって「貯水部２６」が構成されている。
【００２６】
さらに、内容器２の底壁部１１の一般部１４に形成された貫通孔１５に対して、貯水部２６の水を、毛細管現象により、内容器２に収容された腐葉土等、ひいては、植栽された草花等に供給する給水手段としての給水ロープ３２が設置されている。より具体的には、空の状態にある内容器２の内側から、給水ロープ３２の両端部がそれぞれ別々の貫通孔１５に挿通される。そして、該内容器２が外容器３に設置されることで、貫通孔１５を介して底壁部１１の下方に延出した給水ロープ３２の両端部が、貯水部２６に設置されることとなる。給水ロープ３２の両端部から吸い上げられた貯水部２６の水は、内容器２に入れられた腐葉土等に埋設されている給水ロープ３２の中央部側へと浸透し、腐葉土等を介して草花等に供給されるようになっている。
【００２７】
また、外容器３は、底壁部２１の下面から下方に突出する複数の支持部２７を備えている。例えば、図２に示すように、中容器３ｂの底壁部２１には、２行４列で並ぶ８つの支持部２７が形成されている。各支持部２７は、略正方形枠状の外リブ２７ａと、外リブ２７ａの内周側に設けられる格子状の内リブ２７ｂとを備えている。８つの支持部２７の外リブ２７ａの少なくとも１辺（コーナー部に対応する支持部２７については２辺）は、底壁部２１の外周（底壁部２１と、下フランジ部２４との境界部）に沿って形成されるとともに、支持部２７同士は、上フランジ部２３の突出長と、側壁部２２の厚みとを足した長さの２倍の長さよりも若干長い距離を離間するようにして配置されている。さらに、支持部２７の底壁部２１からの突出長は、外容器３の側壁部２２の上辺部と、外容器３に収容された内容器２の側壁部１２の上辺部との間の距離よりも短く構成されている（図８参照）。
【００２８】
そして、同じ型の外容器３同士を同じ向きで上下に真っ直ぐに積み重ねた（段積みした）場合には、上側の外容器３の支持部２７の全てが、下側の外容器３の側壁部２２の内周側に挿入されるとともに、上側の外容器３の下フランジ部２４の下面が、下側の外容器３の上フランジ部２３の上面に支持されることとなる。また、かかる段積み状態においては、上側の外容器３の支持部２７の外周面が、下側の外容器３の側壁部２２の内周面に当接、又は、近接する。これにより、上下の外容器３の水平方向における相対変位が防止されるようになっている。
【００２９】
また、例えば、図７、図８に示すように、長辺側側壁部２２ａ同士を対向させるようにして並べられた３つの大容器３ａの上方に対し、大容器３ａや中容器３ｂを（長手方向が一致する向きから）水平に９０度回転させた向きで段積みする場合には、上側の外容器３が、下側の互いに隣接する一対の外容器３の長辺側側壁部２２ａを跨ぐようにして設置されることとなる。このとき、上側の外容器３の支持部２７の間に形成される空間に対し、下側の一対の外容器３の長辺側側壁部２２ａの上辺部及び上フランジ部２３が挿入されるとともに、当該下側の一対の外容器３の長辺側側壁部２２ａの上辺部及び上フランジ部２３によって、上側の外容器３の底壁部２１の下面が支持されることとなる。さらに、上側の外容器３の下フランジ部２４のうち短辺側側壁部２２ｂに対応する部位の下面が、下側の外容器３の長辺側側壁部２２ａ及び上フランジ部２３の上面によって支持されることとなる。また、かかる段積み状態においては、上側の外容器３の支持部２７の外周面が、下側の外容器３の側壁部２２の内周面に当接、又は、近接する。これにより、下側の外容器３の短手方向における下側の外容器３に対する上側の外容器３の相対変位が防止されるようになっている。
【００３０】
さて、図７、図８に示すように、大容器３ａ及び中容器３ｂに関して外容器３同士を水平に９０度ずつ回転させた向きで段積みする、又は、中容器３ｂに小容器３ｃを載せるといった具合に大きさの異なる外容器３同士を段積みする、或いは、図示はされていないが、外容器３同士を同じ向きで水平方向に位置をずらして（一部がはみ出すようにして）段積みすることにより、外容器３に植栽された草花等を階段状に配置することができる。この場合には、下側の外容器３の内側に形成される収容スペース３５において、当該外容器３の上側に直接重ねられている外容器３と上下に重なっている被覆部位３６（図８参照）と、上方に露出している露出部位３７とが形成されることとなる。
【００３１】
本実施形態では、外容器３のうち、小容器３ｃが１つの内容器２を収容可能な大きさとされ、中容器３ｂが内容器２を２つ横並びで収容可能な大きさとされ、大容器３ａが内容器２を３つ横並びで収容可能な大きさとされている。これにより、大容器３ａや中容器３ｂに対して、当該大容器３ａや中容器３ｂの収容スペース３５のうち、内容器２の２つ分、或いは、１つ分のスペースを覆うようにして、その上側に、大容器３ａや中容器３ｂや小容器３ｃを段積みすることができ、結果として、下側の大容器３ａや中容器３ｂの収容スペース３５においては、内容器２を１つ分、或いは、２つ分収容可能なスペースを露出部位３７として確保することができる。従って、下側の外容器３の収容スペース３５のうち、当該外容器３の被覆部位３６には位置させることなく、露出部位３７に丁度収まるようにして、内容器２を嵌装可能となっている。
【００３２】
以上詳述したように、本実施形態によれば、外容器３同士を９０度ずつ水平に回転させた向きで段積みしたり、所定の外容器３の上側に、当該外容器３よりも小さい外容器３を段積みしたりした場合に、外容器３の収容スペース３５のうち上側に外容器３が重ねられて隠れてしまう被覆部位３６に対しては内容器２を設置することなく、上方に開口する露出部位３７にのみ内容器２を設置することが可能となる。また、腐葉土等を入れて草花等を植えた内容器２を外容器３の露出部位３７に収容させたとしても、当然、内容器２に入れられた腐葉土等が、被覆部位３６に雪崩れ込む等のおそれはない。このため、被覆部位３６に対し、園芸用のツール（スコップ等）や、使い切れずに袋に残った腐葉土や栄養剤等を、外側からはあまり見えないように効率良く収納しておくこと等が可能となる。従って、意匠性の低下を招くことなく、被覆部位３６の有効活用を図ることができる。結果として、外容器３の位置や向きをずらしつつ、プランター１を階段状に段積みする場合の利便性の向上を図ることができる。
【００３３】
さらに、例えば、内容器２が外容器３の内寸とほぼ同じ大きさで構成される場合のように、被覆部位３６にまで必要のない内容器２が配置されたり、例えば、内容器２が設けられない、或いは、内容器２が露出部位３７よりも広範囲に存在する場合のように、被覆部位３６にまで腐葉土等を入れたりするといった無駄をなくすことができ、コストの削減等を図ることができる。
【００３４】
尚、内容器２を発泡樹脂により構成することで、内容器２内部の断熱・保温性を高めることができ、内容器２内部の極端な温度変化等に起因する草花等への悪影響を防止することができる。また、外容器３（大容器３ａ）において内容器２の２つ分の露出部位３７を確保することができる場合には、当該外容器３の上側に段積みされる外容器３を取除かなくても、前記外容器３に収容されている内容器２の交換を行うこともできる。
【００３５】
また、本実施形態によれば、プランター１が外容器３及び内容器２の２層構造とされ、内容器２の底壁部１１において、底壁部１１から下方に突出して外容器３の底壁部２１に支持される支持部１３が設けられている。これにより、内容器２の底壁部１１のうち支持部１３が設けられていない一般部１４と、外容器３の底壁部２１との間に、貯水部２６と、給水ロープ３２の両端部を設置するスペースとを確保することができるとともに、内容器２の内側空間まで水に浸かってしまうといった事態を避けることができる。
【００３６】
さらに、本実施形態では、内容器２の外面において上下に延びる凹部１８が形成されている。このため、植物支持用の棒３１を、凹部１８に挿入するようにして、内容器２と外容器３との間に挟んで立てることができる。特に、内容器２は、発泡樹脂により構成されていることから、植物支持用の棒３１をよりスムースに凹部１８に挿入させることができるとともに、植物支持用の棒３１の取付状態を安定させることができる。
【００３７】
また、本実施形態の凹部１８は、内容器２の上端部から下端部にかけて形成されている。このため、植物支持用の棒３１を取付けていない状態では、プランター１の上方から、凹部１８を介して、貯水部２６に水を供給することができる。従って、外容器３の内周面と、内容器２の外周面との間のほとんど隙間が形成されないような構成であっても、凹部１８を介して、貯水部２６に対し直接的に（内容器２の腐葉土等を介さずに）給水を行うことができる。
【００３８】
尚、上記実施形態の記載内容に限定されず、例えば次のように実施してもよい。勿論、以下において例示しない他の応用例、変更例も当然可能である。
【００３９】
（ａ）外容器３の形状は特に限定されるものではなく、適宜設計変更可能である。例えば、内容器２を２行３列や３行３列で並べて設置できるように構成してもよい。さらに、上記実施形態では、外容器３が貯水可能に構成されているが、底壁部２１や側壁部２２に水抜き孔が形成される等して、貯水不可能な構成としてもよい。
【００４０】
また、外容器３に収容される内容器２の形状についても特に限定されるものではなく、さらには、内容器２の形状として複数パターン存在するように構成してもよい。例えば、上記実施形態の内容器２の幅を２倍、４倍（例えば、上記実施形態の内容器２を２行２列で並べたような平面視略正方形状）、１．５倍、０．５倍にしたような内容器２のバリエーションを増やすこととしてもよい。また、例えば、貫通孔１５を省略したり、凹部１８を省略したりすることも可能である。さらに、例えば、貯水部２６への給水用の開口部を設けるべく、庇部１６のコーナー部を切欠いたような形状としてもよい。尚、本実施形態では、外容器３と内容器２との２層式であるため、凹部１８に土等が詰まってしまったとしても、内容器２を持ち上げる等して簡単に除去することができる。
【００４１】
（ｂ）さらに、外容器３と、内容器２との間の位置決め手段を設けることとしてもよい。例えば、外容器３の底面において、内容器２の支持部１３の下部を挿入可能な凹部を形成し、支持部１３と、凹部とによって位置決め手段を構成することとしてもよい。尚、内容器２の外周面、及び、外容器３の内周面に凹凸を形成することで、位置決め手段を設ける構成に比べ、内容器２の上部開口部の面積が小さくなったり、該上部開口部の形状が歪になったりするといった事態を回避することができ、意匠性の向上等を図ることができる。
【００４２】
また、例えば、内容器２の（外側の）幅を、外容器３の収容スペース３５の短手幅と同じ、或いは、若干広く構成し、内容器２を外容器３に圧入する（外容器３の一対の長辺側側壁部２２ａに圧接する）ように構成してもよい。この場合、外容器３に対する内容器２の水平方向における位置ずれだけでなく、上下方向における位置ずれ（水圧による浮き上がり等）を防止することができ、位置決め効果がより一層奏されることとなる。尚、上記実施形態の庇部１６や中間対応部位１７のように、内容器２の側壁部１２の外面から部分的に突出する突出部が形成されることで、例えば、内容器２の所定の側壁部１２の外面が全体的に外容器３に圧接する場合に比べて、外容器３に対する内容器２の着脱作業性の向上、貯水部２６の貯水量の増大等を図ることができる。
【００４３】
（ｃ）また、外容器３の側壁部２２において、外容器３の底壁部２１の底面よりも上方、かつ、外容器３に収容された内容器２の底壁部１１の底面（より望ましくは下面）よりも下方の位置に対し、水抜き孔を形成することとしてもよい。この場合、外容器３に収容された内容器２の底壁部１１の上面よりも上方にまで外容器３に貯水されることで、内容器２の入れられた腐葉土等が水に浸かり、内容器２に植えられた草花等が根腐れを起こしてしまうといった事態を防止することができる。特に、本実施形態のプランター１は２層構造であり、外容器３に水がどの程度溜まっているかが外からでは分かり難い状況となる場合もあることから、貯水量を制限することのできる水抜き孔を形成することで根腐れを防止するといった作用効果がより顕著に奏されることとなる。
【００４４】
さらに、水抜き孔を塞ぐ閉塞手段（嵌め込み式の栓でもよいし、雄ねじと雌ねじとを螺合させるキャップでもよい）を設けることとしてもよい。また、水抜き孔を複数箇所に設け、前記閉塞手段を用いて、適宜開放するように構成してもよい。
【００４５】
加えて、複数の外容器３をずらして段積みした状態において、上側の外容器３の水抜き孔から排出された水が、下側の外容器３の貯水部２６に（効率的に）流入するように構成してもよい。例えば、複数の外容器３の長手方向を揃えて段積みした場合、及び、複数の外容器３の長手方向を９０度ずつ回転させた向きで段積みした場合のどちらであっても、上側の外容器３の水抜き孔から排出された水が、下側の外容器３の側壁部１２から離間した位置に落下させることができるように、外容器３の長辺側側壁部２２ａや短辺側側壁部２２ｂにそれぞれ水抜き孔を形成し、適宜開閉させることとしてもよい。また、例えば、外容器３の外面側において、水抜き孔から下方に延びる導水溝を形成することとしてもよい。
【００４６】
尚、上記実施形態のプランター１を、土を使用しない水耕栽培用にアレンジしてもよい。例えば、外容器３は、貯水可能に構成されるとともに、ホース等と連結される給水孔及び排水孔を有し、内容器２は、野菜等を所定の姿勢で支持するための支持手段（例えば、野菜を所定位置で支持するための切欠き部が形成された蓋のようなもの）を備えるとともに、外容器３の貯水を流入出させる開口部を有するように構成してもよい。
【００４７】
（ｄ）上記実施形態では、内容器２の底壁部１１を凹凸させることで、内容器２の底壁部１１において外容器３の底壁部２１と当接して支持される部位（支持部１３）と、外容器３の底壁部２１から上方に離間する部位（一般部１４）とが形成されるように構成されているが、例えば、内容器２の底壁部１１を略平板状に構成する一方で、外容器３の底壁部２１を凹凸させることで、支持部と一般部とが形成されるように構成してもよい。
【００４８】
尚、貯水部２６の下面を、給水ロープ３２が設置される部位に向けて若干下方傾斜させてもよい。また、貯水部２６に水が溜められている状態において、被覆部位３６に対し、物品を水に濡らすことなく設置可能とする台部材を別途設けることとしてもよい。
【００４９】
（ｅ）上記実施形態では、外容器３はポリプロピレンにより構成されているが、ポリエチレン、ＰＥＴ、ポリアミド等その他の樹脂材料、木材、陶磁器、金属等により構成されることとしてもよい。また、内容器２は発泡ポリプロピレンにより構成されているが、発泡ポリエチレン、発泡ポリスチレン等のその他の発泡樹脂材料により構成されることとしてもよい。さらに、給水ロープ３２の素材としても、特にポリエステルに限定されるものではなく、綿、ポリエチレン等のその他の材料により構成されることとしてもよい。
【符号の説明】
【００５０】
１…プランター、２…内容器、３…外容器、３ａ…大容器、３ｂ…中容器、３ｃ…小容器、１１…底壁部、１２…側壁部、１３…支持部、１４…一般部、１５…貫通孔、１８…凹部、２１…底壁部、２２…側壁部、２３…上フランジ部、２４…下フランジ部、２６…貯水部、２７…支持部、３１…植物支持用の棒、３５…収容スペース、３６…被覆部位、３７…露出部位。
【図１】
0006433864.tif 000002
【図２】
0006433864.tif 000003
【図３】
0006433864.tif 000004
【図４】
0006433864.tif 000005
【図５】
0006433864.tif 000006
【図６】
0006433864.tif 000007
【図７】
0006433864.tif 000008
【図８】
0006433864.tif 000009